(57)【特許請求の範囲】
【請求項１】
熱湯に所定時間浸した後に湯切りすることにより調理される調理物を収容しかつ調理するための加熱調理容器の蓋であって、
容器本体の口縁部に剥離可能にシールされ、湯切り口が形成されるシート状の蓋本体と、この蓋本体の複数個の湯切り口形成予定領域を覆うように前記蓋本体の表面に剥離可能に貼着されたタックラベルとから成り、
前記蓋本体は、各湯切り口形成予定領域の周縁の一部に沿うようにそれぞれ刻設された略Ｕ字形の第１の切込線と、それぞれの第１の切込線の両側辺の先端部と間隔をおいて対向するとともに前記湯切り口形成予定領域の周縁の一部に沿うようにそれぞれ刻設された第２の切込線とを有し、
前記第２の切込線が、前記蓋本体の裏面側に設けられた熱接着性樹脂層を貫通するように前記蓋本体の裏面側から刻設されたハーフカット線であり、
前記タックラベルは、前記第１の切込線の内側に形成された舌状片の先端部に対向する端部に形成されたツマミ部と、前記第１の切込線を覆うように形成された粘着剤層とを有し、
前記ツマミ部を指でつまんで前記タックラベルを前記蓋本体から剥離する際、前記湯切り口形成予定領域が前記タックラベルとともに前記蓋本体から分離して湯切り口が形成されるように成したことを特徴とする加熱調理容器の蓋。
【請求項２】
前記蓋本体が表面側に紙から成る基材層を有するとともに前記ハーフカット線が前記基材層に達するように刻設され、前記蓋本体の表面側に、前記第２の切込線よりも前記タックラベルの剥離方向側に位置するとともに前記第２の切込線と略平行に延び、前記基材層を貫通するハーフカット線が刻設されたことを特徴とする請求項１に記載の加熱調理容器の蓋。
【請求項３】
前記ツマミ部の裏面に剥離シートが貼り合わされたことを特徴とする請求項１又は請求項２に記載の加熱調理容器の蓋。
【発明の詳細な説明】
【０００１】
【発明の属する技術分野】
本発明は、熱湯に所定時間浸した後に湯切りすることにより調理される調理物（例えば、インスタント焼きそば）を収容しかつ調理するための加熱調理容器の蓋に関するものである。
【０００２】
【従来の技術】
この種の蓋の代表的な先行技術例としては、例えば、図８に示すものを挙げることができる。同図に示すように、この蓋１０１は、接着剤を介して貼り合わされた上下一対のシート１０２、１０３から成り、下面の周縁部が、調理物を収容したカップ状の容器本体（不図示）のフランジ状の口縁部に剥離可能にシールされ、一方の端部には、容器本体の口縁部から外方に向けて突出した突出部１０４が形成されている。
【０００３】
上側のシート１０２には、突出部１０４と背反する側の端部を横断するように刻設された直線状の不連続な切込線１０５により剥離片１０６が区画形成されており、下側のシート１０３には、突出部１０４と背反する側の端部の周縁部に沿って、複数個の円形状の不連続な切込線１０７、１０７、・・・が間隔をおいて刻設されている。
【０００４】
上側のシート１０２と下側のシート１０３は、切込線１０７、１０７、・・・の内側の部分が剥離しないように強接着され、それ以外の部分は剥離可能に弱接着されている。
【０００５】
このような構成の蓋１０１は次のようにして使用される。まず、突出部１０４をつまんで蓋１０１を容器本体の口縁部から少し剥がし、容器本体内部に所定量の熱湯を注いだ後、突出部１０４を容器本体の口縁部の下側に折り曲げて容器本体の開口部を封閉する。そして、所定時間経過後、上側のシート１０２の剥離片１０６の一方の側端部を指でつまんで下側のシート１０３から少し剥がし、他方の側端部に向けて引っ張ると、剥離片１０６が切込線１０５に沿って切断されて下側のシート１０３から分離し、図９に示すように、下側のシート１０３の一部が露出する。
【０００６】
このとき、下側のシート１０３における切込線１０７、１０７、・・・の内側の部分は剥離片１０６に強接着されているため、切込線１０７、１０７、・・・の内側の部分が剥離片１０６に引っ張られ、切込線１０７、１０７、・・・の不連続な部分が破断して切込線１０７、１０７、・・・の内側の部分が剥離片１０６とともに下側のシート１０３から分離する。
【０００７】
これによって、切込線１０７、１０７の内側の部分が開口して湯切り口１０８、１０８、・・・が形成されるので、容器本体を傾けてその内部の湯を湯切り口１０８、１０８、・・・を介して外部に流出させ、調理物を湯切りする。そして、突出部１０４をつまんで蓋１０１を容器本体から剥離し、容器本体内の調理物に調味料をふりかけて調理物を食する。
【０００８】
【発明が解決しようとする課題】
上述した従来の蓋１０１の場合、二枚のシートを貼り合わせた構造となっているため、コスト高であるという問題点が有った。また、切込線１０７の内側の部分と外側の部分とで異なる接着剤が塗布され、接着剤の塗布位置を精密に合わせないと湯切り口１０８が確実に形成されないため、信頼性に問題点が有った。
【０００９】
本発明は、上述した問題点に鑑みてなされたものであって、その目的は、容易かつ安価に製造することができ、信頼性が高い加熱調理容器の蓋を提供することにある。
【００１０】
【課題を解決するための手段】
上述した目的を達成するために、本発明は、熱湯に所定時間浸した後に湯切りすることにより調理される調理物を収容しかつ調理するための加熱調理容器の蓋であって、
容器本体の口縁部に剥離可能にシールされ、湯切り口が形成されるシート状の蓋本体と、この蓋本体の湯切り口形成予定領域を覆うように前記蓋本体の表面に剥離可能に貼着されたタックラベルとから成り、
前記蓋本体は、前記湯切り口形成予定領域の周縁の一部に沿うように刻設された略Ｕ字形の第１の切込線と、この第１の切込線の両側辺の先端部と間隔をおいて対向するとともに前記湯切り切り口形成予定領域の周縁の一部に沿うように刻設された第２の切込線とを有し、
前記タックラベルは、前記第１の切込線の内側に形成された舌状片の先端部に対向する端部に形成されたツマミ部と、前記第１の切込線を覆うように形成された粘着剤層とを有し、
前記ツマミ部を指でつまんで前記タックラベルを前記蓋本体から剥離する際、前記湯切り口形成予定領域が前記タックラベルとともに前記蓋本体から分離して湯切り口が形成されるように成したことを特徴とするものである。
【００１１】
なお、前記ツマミ部の裏面に剥離シートが貼り合わされていると、前記ツマミ部が前記蓋本体から持ち上がってつまみ易くなるので好ましい。
【００１２】
また、前記蓋本体が前記湯切り口形成予定領域を複数個有し、各湯切り口形成予定領域に対してそれぞれ前記第１及び第２の切込線が刻設されていると、湯切り口が複数個形成され、湯切りに要する時間が短くなるので好ましい。
【００１３】
なお、この場合、前記第２の切込線を、前記蓋本体の裏面側に設けられた熱接着性樹脂層を貫通するように前記蓋本体の裏面側から刻設されたハーフカット線とすると、複数個の湯切り口形成予定領域を近接して配置することができるので好ましい。
【００１４】
また、この場合、前記蓋本体が表面側に紙から成る基材層を有するとともに前記ハーフカット線が前記基材層に達するように刻設され、前記蓋本体の表面側に、前記第２の切込線よりも前記タックラベルの剥離方向側に位置するとともに前記第２の切込線と略平行に延び、前記基材層を貫通するハーフカット線を刻設すると、前記タックラベルを剥離する際に前記基材層に層間剥離が生じても、このハーフカット線の位置で止めることができるので好ましい。
【００１５】
【発明の実施の形態】
以下、本発明の具体的な実施形態を図面を参照しながら説明する。
図１は本発明の一実施形態である蓋１を備えた加熱調理容器の平面図、図２は図１の加熱調理容器の前面図、図３は図１のＡ−Ａ’線断面図、図４は蓋本体２の平面図、図５は図４の要部拡大図、図６は湯切り口１６が形成された蓋本体２の平面図、図７は本実施形態の加熱調理容器の使用方法の説明図である。
【００１６】
本実施形態の加熱調理容器は、インスタント焼きそばを収容しかつ調理するためのものであり、図２に示すように、上面が開口したカップ状の容器本体３０１と、この容器本体３０１の開口部を封閉するように容器本体３０１の口縁部３０２に剥離可能にシールされた蓋体１とから成っている。容器本体３０１は合成樹脂射出成形品で、開口部の周囲に、全周にわたって外方に張り出したフランジ状の口縁部３０２を有している。
【００１７】
図２に示すように、蓋１は、略円形のシート状の蓋本体２と、この蓋本体２の上面（表面）に剥離可能に貼着された略三角形状のタックラベル３とから成っている。なお、図２中のＳは蓋１と容器本体３０１の口縁部３０２とのシール部であり、図面では一部を省いているが、全周にわたって形成されている。タックラベル３は、蓋１を容器本体３０１の口縁部３０２にシールする際に邪魔にならないよう、シール部Ｓの内側に設けられている。
【００１８】
蓋本体２は、図３に示すように、例えば、７９．１ｇ／ｍ2の片アート紙から成る基材層４の片面に、厚さ１５μｍのポリエチレンから成る第１の接着層５、厚さ６μｍのアルミニウム箔から成る遮蔽層６、厚さ１５μｍのポリエチレンから成る第２の接着層７、厚さ３０μｍの熱接着性樹脂層８を順次積層したシートにより構成されている。
【００１９】
図１に示すように、蓋本体２は、後端部側に、容器本体３０１の口縁部３０２から外方に向けて突出した突出部９を有しており、前端部側の周縁部に沿って、容器本体３０１の口縁部３０２よりも内側に位置するように、複数個の第１の切込線１０と、複数個の第２の切込線１１とが間隔をおいて刻設されている。
【００２０】
図５に示すように、第１の切込線１０は、蓋本体２の前端部側の周縁部に沿って所定間隔をおいて設定された複数個の略矩形状の湯切り口形成予定領域Ｒ（ハッチングで示す部分）の周縁の一部に沿うように刻設されており、蓋本体２の径方向外側に向けて開口した略Ｕ字形となっている。なお、第１の切込線１０は、蓋本体２をその厚さ方向に貫通している。
【００２１】
湯切り口形成予定領域Ｒの大きさは、湯切りの際に麺や具材が飛び出さず、かつ湯切り時間が長くならないよう、５ｍｍ×５ｍｍ程度に形成するのが好ましく、その個数は２〜５個程度が好ましい。
【００２２】
一方、第２の切込線１１は、第１の切込線１０の両側辺の先端部と間隔をおいて対向するとともに、湯切り口形成予定領域Ｒの周縁の一部に沿うように刻設され、両端部は湯切り口形成予定領域Ｒの側方に延び、蓋本体２の内側に向けて略直角に屈曲している。なお、第２の切込線１１は、蓋本体２の裏面側に設けられているため、破線で示されているが、不連続なものではなく、全長にわたって一定した深さの連続した切込線である。
【００２３】
なお、本実施形態では、第２の切込線１１は、図３に示すように、蓋本体２の下面（裏面）側から、熱接着性樹脂層８、第２の接着層７、遮蔽層６、第１の接着層５を貫通し、基材層４に達するように刻設されたハーフカット線となっているが、これに限られるものではない。即ち、第２の切込線１１は、少なくとも、破断しにくい熱接着性樹脂層８（例えば、大日本樹脂Ｔ−ＥＰ７）を貫通するように刻設すればよい。
【００２４】
なお、このように、第２の切込線１１をハーフカット線とすることにより、隣接する第２の切込線１１との間の距離を小さくすることができ、湯切り口形成予定領域Ｒ、Ｒ、・・・を近接して配置することができるため、効率の良い湯切りが可能となる。なお、湯切り口形成予定領域Ｒ、Ｒ、・・・間の距離が大きい場合や蓋本体２の剛性が高い場合等においては、第２の切込線１１は、蓋本体２を貫通するように刻設することもできる。
【００２５】
本実施形態における第１及び第２の切込線１０、１１の各部寸法は、図５に示すように、第１の切込線１０の側辺の先端部と第２の切込線１１の底辺との距離Ａが１ｍｍ、第１の切込線１０の両側辺の直線部分の長さＢが１ｍｍ、第１の切込線１０の半円状の部分の半径Ｃが２ｍｍ、第１の切込線１０の側辺とこれに近接する第２の切込線１１の端部との距離Ｄが１ｍｍ、第２の切込線１１の両端の屈曲部の長さＥが１ｍｍとなっている。なお、第１及び第２の切込線１０、１１は、湯切り口形成予定領域Ｒの中心線ＣＬの両側に左右対称となるように形成されている。
【００２６】
なお、距離Ａが長くなるほど熱接着性樹脂層８を引き裂く距離が長くなり、タックラベル３の剥離に要する力が大きくなるため、距離Ａは１〜３ｍｍであることが好ましい。また、距離Ｄは、第１の切込線１０と第２の切込線１１の位置ずれを吸収するため、１〜２ｍｍに設定される。
【００２７】
また、蓋本体２の上面には、タックラベル３と蓋本体２の周縁部との間に位置するとともに第２の切込線１１、１１、・・・と略平行に延び、基材層４を貫通する円弧状のハーフカット線１２が刻設されている。
【００２８】
タックラベル３は、図３に示すように、例えば、合成紙から成る基材層１３の片面に、アクリルエマルジョン系の粘着剤やアクリル系の粘着剤から成る粘着剤層１４、グラシン紙から成る剥離シート１５を順次積層して成るシートにより構成されている。粘着剤層１４は、蓋本体２の基材層４の層間剥離が生じにくく、かつ第１の切込線１０の内側の舌片状の部分２ａが確実に接着するよう、Ｔ字形剥離強度が１００〜４００ｇ／１５ｍｍ幅（引っ張り速度：３００ｍｍ／ｍｉｎ）程度のものを用いることが好ましい。
【００２９】
図１に示すように、タックラベル３における蓋本体２の中心部側の端部には、ツマミ部３ａ（ハッチングで示す部分）が設けられており、剥離シート１５は、ツマミ部３ａの部分を除いて切除されている。この剥離シート１５により、図３に示すように、ツマミ部３ａが蓋本体２から浮き上がった状態となっており、つまみ易くなっている。
【００３０】
なお、ツマミ部３ａの裏面に剥離シート１５を設ける代わりにツマミ部３ａの裏面の粘着剤層１４上に離型剤や剥離剤を塗工するようにしても良い。粘着剤層１４は、ツマミ部３ａを除く部分により、各湯切り口形成予定領域Ｒ、各第１の切込線１０、及び各第２の切込線１１を完全に覆うように形成されている。なお、タックラベル３を蓋本体２に貼着する際の位置ずれを吸収するため、タックラベル３は、その周縁が第１及び第２の切込線１０、１１から少なくとも２〜３ｍｍ程度離れて位置するように形成される。
【００３１】
なお、タックラベル３が大きく位置ずれしても、少なくとも第１の切込線１０がタックラベル３で覆われていれば容器本体３０１内に湿気が侵入しないとともに湯切り口形成予定領域Ｒがタックラベル３に引っ張られて湯切り口が形成される。したがって、本発明では、タックラベル３の蓋本体２に対する位置合わせがそれほど困難でなく、湯切り口を確実に形成することができる。
【００３２】
次に、上述した構成の蓋１の作用を説明する。
まず、突出部９を指でつまんで蓋１を容器本体３０１の口縁部３０２から少し剥がし、容器本体３０１内部に所定量の熱湯を注いだ後、突出部９を容器本体３０１の口縁部３０２の下側に折り曲げて容器本体３０１の開口部を封閉する。
【００３３】
そして、所定時間経過後、タックラベル３のツマミ部３ａを指でつまんで蓋１の径方向外側に向けて引っ張ると、タックラベル３の粘着剤層１４が蓋１の径方向内側から徐々に剥離してゆく。このとき、第１の切込線１０の内側に形成された舌片状の部分２ａ（図５参照）が先端部側から捲り上げられ、蓋１の径方向外側に向けて引っ張られる。
【００３４】
舌片状の部分２ａがその基端部まで捲り上げられ、さらに、蓋１の径方向外側に引っ張られると、湯切り口形成予定領域Ｒの周縁における第１の切込線１０と第２の切込線１１の間の部分が破断し始め、破断が第２の切込線１１に達すると、湯切り口形成予定領域Ｒが基材層４を介して蓋本体２につながった状態となり、さらに湯切り口形成予定領域Ｒが蓋１の径方向外側に引っ張られると、基材層４が第２の切込線１１に沿って破断して湯切り口形成予定領域Ｒがタックラベル３とともに蓋本体２から分離する。
【００３５】
なお、このとき、基材層４が第２の切込線１１に沿って破断せず、基材層４に層間剥離が生じてタックラベル３の剥離方向に進行し、湯切り口形成予定領域Ｒが蓋本体２につながった状態が続くことが有るが、層間剥離がハーフカット線１２の位置に達すると湯切り口形成予定領域Ｒが蓋本体２から分離する。したがって、外観が著しく損なわれることがない。
【００３６】
湯切り口形成予定領域Ｒが切除されることにより、図６に示すように、蓋本体２に湯切り口１６、１６、・・・が形成される。そして、加熱調理容器を両手で持ち、図７に示すように、湯切り口１６、１６、・・・が下になるように加熱調理容器を傾けて容器本体３０１内の湯を湯切り口１６、１６、・・・を介して外部に流出させ、調理物を湯切りする。
【００３７】
そして、湯切りが終了すると、蓋１の突出部９を指でつまんで蓋１を容器本体３０１から剥離し、容器本体３０１内の調理物に調味料をふりかけて食する。
【００３８】
なお、本発明は上述した実施形態に限定されるものではなく、本発明の要旨を逸脱しない範囲で種々の変更が可能である。
【００３９】
【発明の効果】
本発明の蓋は、蓋本体が一枚のシートで構成されるため、安価に製造することができる。また、第１の切込線と第２の切込線をシビアに位置合わせする必要がなく、製造が容易である。さらに、タックラベルを蓋本体に対してシビアに位置合わせする必要が無く、湯切り口が確実に形成されるため、信頼性が高い。
【００４０】
また、本発明の蓋は、ツマミ部の裏面に剥離シートが貼り合わされたことにより、ツマミ部が蓋本体から持ち上がってつまみ易いため、使い勝手が良い。
【００４１】
また、本発明の蓋は、湯切り口が複数個形成されるため、湯切りに要する時間が短く、調理を短時間で行うことができる。
【００４２】
また、本発明の蓋は、複数個の湯切り口形成予定領域を近接して配置することができるため、湯切りの確実性が向上する。
【００４３】
また、本発明の蓋は、タックラベルを剥離する際に基材層に層間剥離が生じても、ハーフカット線の位置で止まるため、外観が著しく損なわれることがない。
【図面の簡単な説明】
【図１】  本発明の一実施形態である蓋１を備えた加熱調理容器の平面図。
【図２】  図１の加熱調理容器の前面図。
【図３】  図１のＡ−Ａ’線断面図。
【図４】  蓋本体２の平面図。
【図５】  図４の要部拡大図。
【図６】  湯切り口１６が形成された蓋本体２の平面図。
【図７】  実施形態の加熱調理容器の使用方法の説明図。
【図８】  第１の先行技術例の蓋１０１の平面図。
【図９】  湯切り口１０８が形成された蓋１０１の平面図。
【符号の説明】
１  蓋
２  蓋本体
３  タックラベル
３ａ  ツマミ部
４  基材層
８  熱接着性樹脂層
１０  第１の切込線
１１  第２の切込線
１２  ハーフカット線
１５  粘着剤層
１６  湯切り口
Ｒ  湯切り口形成予定領域
【図１】
0004425402.tif 000002
【図２】
0004425402.tif 000003
【図３】
0004425402.tif 000004
【図４】
0004425402.tif 000005
【図５】
0004425402.tif 000006
【図６】
0004425402.tif 000007
【図７】
0004425402.tif 000008
【図８】
0004425402.tif 000009
【図９】
0004425402.tif 000010